(57)【要約】      （修正有）【課題】夏場においても、和服とのバランスの取れた高級感や着用感の得られる足袋や、むれを防いで夏でも着用できるパンプスやミュールを提供する。【解決手段】和装とのバランスと清涼感を重視した物作りを、目透きの布帛を使用して解決した。無双紗、紗と絽、紗と平織を使用して、絽の和服にマッチする足袋を開発することにより着用感と高級感の問題を同時に解決した。夏の足袋として涼しく優雅なものとなった。耐洗濯性については、透かし意匠やモアレ模様などの付加価値を兼ねた二重の布帛にする事で解決できた。ブーツやパンプスについても広い面積で目透き布帛を使用して通気性を向上させ、透かし柄の使用などにより美しさと涼感を付加した履物となった。【選択図】図２
0003112610.tif 000002
【実用新案登録請求の範囲】
【請求項１】
目透き布帛を筒部、甲部、爪先部に使用した通気性に優れた構造の履物
【請求項２】
筒或いはアッパーの一部に目透き布帛を使用した通気性構造のブーツ、パンプス、ミュール
【請求項３】
底布帛には雲斎織を使用し、上布帛には、１枚或いは複数の目透き布帛を重ねて使用した優雅な透かし模様と通気性構造を有する足袋
【請求項４】
底布帛には雲斎織を使用し、上布帛に紗或いは絽の布と染色模様の入った平織、紗、絽から選ばれた布とを重ねて使用した優雅な模様と通気性をあわせ持つ構造の足袋
【考案の詳細な説明】
【技術分野】
【０００１】本考案は、高級感に優れ、夏季において涼しい、ブーツ、パンプス、ミュール、足袋等の履物の構造に関する。
【背景技術】
【０００２】ブーツやパンプスの多くは、皮革製品であり、湿度の高い夏には、足がむれるため履くことができない。夏季用の履物としては、サンダルが好まれているが、高級感に欠ける。すなわち、高級感と涼感に優れた夏季用のブーツやパンプスは存在しない。足袋の場合には、夏用として、木綿の袷、麻の袷、木綿単足袋は知られている（非特許文献１）。絹の羽二重の足袋も知られているが、吸湿性、洗濯性、家庭での漂白処理の可能性の点から白足袋としては木綿が使用されている（非特許文献２）。足袋以外の履物、例えば、ブーツ、パンプス、ミュール等において、その筒部、アッパー部、甲部、爪先に、紗や絽のような、目透きの布帛を使用した履物は見当たらない。通気性と高級感に優れた紗や絽を、履物素材として取り上げた例はない。【０００３】先行特許について、特許庁特許電子図書館において、からみ織或いは紗とブーツ、パンプス或いはミュールをキーワードにして検索しても、足袋、紗、絽をキーワードとして検索しても、先行特許及び実用新案はなかった。範囲を広げて、目透き布と足袋で検索しても先行特許はなかった。足袋で検索すると１９９０年１２月以降で、８０件検索できたが、地下足袋その他がほとんどであり、部屋で着用する足袋は少なかった。底面にメッシュを使用した通気性改良の足袋が１件見られるものの上布に目透きの布帛を使用したものではない（特許文献１）。【０００４】
【非特許文献１】みやけ工房  ｈｔｔｐ：／／ｍｉｙａｔａｋｅｋｏｕｂｏｕ．ｃｏｍ
【非特許文献２】絹や  ｈｔｔｐ：／／ｗａ−ｋｉｎｕｙａ．ｃｏｍ
【特許文献１】特開２００３−３１４００６
【考案の開示】
【考案が解決しようとする課題】
【０００５】本考案で解決しようとしている課題は、皮革の履物における夏季の涼感と高級感である。履物として夏季に涼しくて、しかも高級感のある履物を提供しようとするものである。夏季には、ほとんど履かないブーツやパンプスの通気性を良くして、夏季のむれを解決すると共に涼感の付与を目的とした。つまり通気性構造をブーツやパンプスにも付与して、夏季に着用できる履物とすることが課題である。さらに、和装時の足袋としては、古来より木綿製がほとんどであり、夏季においては、袷を単にして着用しているのが普通である。一般には、底は綿の雲斎織として、上布帛としては木綿キャラコが用いられている。木綿以外では麻１００％の袷足袋がある。しかし、これらには高級感が不足しており、平絽の和服、平絽に紗組織で紋を現した紋絽のような優雅な和服の折には、そぐわない。麻の足袋にも高級感はない。本考案によって解決しようとしている課題の一つは、絹の高級和服にマッチする構造の足袋である。高級感の次の課題が着用感であり、キャラコではなく通気性に優れた構造の足袋の考案が課題である。
【課題を解決するための手段】
【０００６】本考案では、目透きの布帛を構造の一部に採用し、夏季履物の通気性の問題を解決する。ブーツの筒の一部に紗のような通気性の良い素材を使用する。本考案の目透きの布帛としては、１細い糸を使用した布、２細い強撚糸を使用した布、３からみ織の布、４模紗織（モク・レノ）の布、５ななこ織の布、６レース編織布、７メッシュ編織布等の中から選択して採用する。さらに具体的には、本考案の目透き布には、平織のシャー、シホン、ニノン、ボイル、ローン、オーガンジー等、からみ織の紗、絽、マーキゼット、モク・レノ、紗ボイル、ななこ織のオックスフォード等を使用する。これらを、実用上の靴の強度を損なわないように一部に使用する。目透きの織物、紗や絽のような高級感のあるからみ織布帛を筒部やアッパー部に使用した履物は従来はなく、本考案のブーツによって、はじめてブーツが夏季の履物となった。【０００７】本考案のパンプスでは、アッパーの一部に目透きの布帛を使用して通気性を改良して課題を解決する。高級感を出すためには無地の紗とプリント紗を重ねて使用し、下の模様を透かして見えるようにして、さらにモアレ模様を楽しむことにより高級感をかもし出す考案である。プリントの柄のある平織布と絽のような目透きの薄地織物を重ねたものでもよい。パンプスについても形くずれが起きないように、通気性の布帛を窓枠の形で使用するのが好ましい。【０００８】本考案では、新規な構造として、この目透きの布の組合せを採用して、夏季のむれ感を改良し、涼感と高級感を達成した。足袋の場合には、紋絽のような高級和服にマッチするものとして、絹の紗と紗、紗と絽、綿の平織と絹の絽等を中心に、色々の組合せで足袋をデザインすることができる。足袋としてふさわしい、細かい模様、例えば、江戸小紋の中の１さめ小紋、２小桜小紋、３市松菊扇、４沖縄の紅型小紋、４光琳の松模様小紋等からいずれかを下絽に採用し、優雅なものにすることが出来る。
【考案の効果】
【０００９】本考案の効果は、足袋において歴然としており、夏季に絽の和服を着て、木綿の単足袋を着用した時のバランスの悪さと着用感の悪さが一気に解決した。足袋底は雲斎織のままで良いが、上布帛に画期的なからみ織組織である紗や絽織物を採用して、高級感のある夏用としての最適の足袋となった。ブーツやパンプスについても、ファッション性のある商品になると共に、涼感性に優れた製品となり、従来の靴にない構造的特徴を有し、若い人から年配の人まで、訪問先によって必須の用品になる可能性がある。目透きの布を重ねると下絽の模様が透かして見えるだけでなく、モアレと云う光干渉効果による模様が発現し、優雅さを一層引き立てる事がある。
【考案を実施するための最良の形態】
【００１０】全ての目透き布帛が使用できるが、シホン、オーガンジー、強撚糸等の平織、紗、絽、マーキゼット等のからみ織の布帛はいずれも使用できる。紗と紗、紗と絽、絽と平織の組合せは、最良の形態である。下絽には、夏の花や涼しさを呼ぶ紅葉の葉っぱの模様を、重ねて使用することにより美しくかつ涼感性に特徴のあるものにすることが出来る。ブーツでは、筒の所とアッパー部に使用し、パンプスではアッパー部の広い面積で使用する形態が好ましい。目透き素材としては、ブーツの場合、ポリエステルの絽を使用することもできるが、絹が最も高級感を出し易い。靴下以外の履物に絹は使用されていなかったが、アウトドアーにおいて着用し、ルックスが重視される製品には使用するのが最良である。【００１１】本考案の足袋は、お茶会や舞踊会その他の催しで、畳の上で着用する機会が多く、見栄えのする製品となる。足袋の底は、木綿の雲斎織で良いが、厚地の目透き布帛を重ねて使用しても差し支えない。淡いブルーの紋絽の和装に合わせて着用すれば、高級感のある足袋となり、和服によく似合うと共に、清涼感に優れた夏向きの足袋となる。さらに、優雅さを出すために、意匠性があり、透かし効果や透かし模様を演出して一層の高級感をかもし出すことができる。本考案の最良の形態として、例えば、下絽に使用する小紋として図１に、さめ小紋、小桜小紋、牡丹小紋等色々の小紋を示した。型紙を使って一色染めの染物である江戸小紋使用によって、優雅な足袋を製造することができた。
【実施例１】
【０００８】図２は、無双紗をトウアッパーと筒部に使用した構造を取り入れた新しいブーツを横からみた模式図である。１と２に紗が使用されている。靴としての形態と強度を損なわないように、網戸の窓のようにして、目透きの布を使用した。３は踵、４は靴底であり、５は歩行時の屈曲部である。５には柔らかい革を使用した。１の筒部の紗の下布にはプリント柄の絽を使用している。ブーツの色はブラウンであるが、１の紗及び絽のみライトブラウンであり、下布の柄が上布の紗を通して模様として見える。夏季の６月や７月にも着用できる従来にはない涼しさと優雅なデザインとなった。
【実施例２】
【０００９】図３は、横から見た足袋の模式図である。６に目透きの紗と絽を使用して絹の足袋を作った。上布には、左右の目透き布を、７より爪先まで縫製して作成してある。足袋底８は、通常の木綿の雲斎織を使用した。目透きの布は縫製しにくいので７の縫い代のところにテーピングをして、目透きの布同士或いは底布との縫製をし易いように加工して使用した。下紗には、図４のような市松模様にさらに菊扇図柄を入れた絽を使用した。５から１０ｍｍの大きさの無数の青色の菊扇の図柄を、透かして見ることが出来て優雅であり、しかも通気性の良い夏用の足袋となった。９のこはぜ数は４個の白足袋として、淡いブルーの紋絽の和装に合わせて着用したが、高級感のある足袋として、和服によく似合うと共に、涼しい夏の足袋となった。汚れた場合には、ぬるま湯に漬けて弱い手もみで落とすことができた。靴と違って、足袋の場合には、足にフィットするもので、紗や絽を広く使用した。
【実施例３】
【００１０】目透きの布として、小桜小紋の平織と絽の布を重ねたものを使用し、それ以外は実施例２と同様な足袋を縫製した。平織の小紋を絽を通して見る優雅な足袋となり、和装によくマッチした。
【産業上の利用可能性】
【００１１】和服産業は、衰退傾向にあるが、日本的な催しには、和服は必須であり、一定の市場は保たれている。その中で、二重紗或いは紗と絽等の目透き布の一つであるからみ織の生地を使用した足袋は、涼しさと絹の高級感からその道の愛好者にはうける商品となった。ブーツやパンプスにおいては、夏から秋にかけて着用できるものとして、靴業界の拡販につながる効果がある。
【図面の簡単な説明】
【００１２】
【図１】絽の柄として染色した江戸小紋の三つの例  ａさめ小紋  ｂ小桜小紋  ｃ牡丹小紋
【図２】ブーツを側面から見た模式図
【図３】横から見た足袋の模式図
【図４】足袋に使用した市松模様の一例
【符号の説明】
【００１３】１ブーツの筒部の紗と絽を使用した部分
２ブーツのアッパー部の紗と絽を使用した部分
３ブーツの踵
４ブーツの底
５曲がるとひだとなるブーツの柔らかい革の部分
６足袋の紗と絽の目透き部分
７無双紗の縫い合わせ部分
８足袋の底の雲斎織の部分
９こはぜ部分
【図１】
0003112610.tif 000003
【図２】
0003112610.tif 000004
【図３】
0003112610.tif 000005
【図４】
0003112610.tif 000006